(57)【要約】【課題】コネクタカバーの脱落を確実に防止することができるアンテナのコネクタカバー取り付け構造を提供する。【解決手段】ケーブルを接続するためのコネクタ８を設けたアンテナ本体２のコネクタ近傍に、高さの異なる一対の取り付け座９，１０を突設し、これら取り付け座にタップ９ａ，１０ａを形成して、コネクタカバーの取り付け孔１２ｃに挿入したほぼ同じ長さの固着具１３，１４をタップに螺挿することにより、取り付け座にコネクタカバーを取り付けたもので、コネクタカバーを取り付けている固着具をほぼ同量緩めて、高さの高い取り付け座に螺挿された固着具を中心にコネクタカバーを回動することにより、コネクタカバーをアンテナ本より切り離すことがなく、コネクタカバーを開放することができるため、アンテナの取り付け作業が安全に行えるようになる。【選択図】図８
2010004213.tif 000002
【特許請求の範囲】
【請求項１】
ケーブルを接続するためのコネクタをアンテナ本体に設け、かつ前記コネクタをコネクタカバーにより覆ったアンテナのコネクタカバー取り付け構造であって、前記アンテナ本体の前記コネクタ近傍に、高さが異なる一対の取り付け座を突設し、かつ前記取り付け座にタップを形成すると共に、前記コネクタカバーに形成した取り付け孔に挿入したほぼ同じ長さの固着具を、前記取り付け座の前記タップに螺挿することにより、前記取り付け座に前記コネクタカバーを取り付けたことを特徴とするアンテナのコネクタカバー取り付け構造。
【発明の詳細な説明】
【技術分野】
【０００１】
本発明は、主としてペンシルビーム特性を有するアンテナのコネクタカバー取り付け構造に関する。
【背景技術】
【０００２】
従来、準ミリ波やミリ波、光等で通信を行う通信機器に使用するアンテナには、ペンシルビーム特性を有するものが主として使用されており、この種のアンテナとしては、例えば特許文献１に記載されたものが公知である。
前記特許文献１に記載の加入局アンテナは、無線信号の放出及び取り込みを行うアンテナ部と、アンテナ部で放出する無線信号の変調と、アンテナ部で取り込んだ無線信号の復調を行う無線部とを有している。
【０００３】
またアンテナ部の周辺には、無線通信を行う対象物を確認するための覗き穴が設けられていると共に、覗き穴の中心軸とアンテナ部及び無線部を柱に取り付けるための取り付け金具に形成された覗き穴の中心軸が、何れもアンテナ部の指向性と同一方向で、かつこれらの中心軸が同一中心線上に配置されている。
そして前記構成により、対象物の照準を絞りやすくなるため、一層容易に通信対象物の方向へアンテナの向きを調整することができる等の効果を有している。
【０００４】
一方従来のアンテナには、アンテナ本体と通信機器を接続するケーブルを取り付けるためのコネクタａが、図１１に示すようにアンテナ本体ｂの裏面に設けられている。
このコネクタａは、アンテナを設置する前に塵埃等の異物や雨水等が侵入しないようにコネクタカバーｃにより覆われており、コネクタカバーｃは、長さの異なる複数、例えば２本のボルトのような固着具ｄ、ｅによりアンテナ本体ｂの裏面に突設されたほぼ同じ高さの取り付け座ｆ，ｇに取り付けられている。
【０００５】
そしてアンテナ本体ｂを柱等に取り付けた後、２本の固着具ｄ，ｅの一方ｄを緩め、他方ｅをアンテナ本体ａ裏面の取り付け座ｇより図１２に示すように外した状態で、一方の固着具ｄを中心にコネクタカバーａを回転することにより、コネクタカバーａや固着具ｄ，ｅをアンテナ本体ｂから切り離すことなくコネクタカバーａを開放できるようになっている。
これによってアンテナ本体ｂにケーブルを接続する際、コネクタカバーａや固着具ｄ，ｅをアンテナ本体ｂから切り離す必要がないことから、アンテナの取り付け作業が高所作業になっても、コネクタカバーａや固着具ｄ，ｅを誤って脱落させることがないため、アンテナの取り付け作業が安全に行えるようになっている。
【特許文献１】特開２００４−７２５５７号公報
【発明の開示】
【発明が解決しようとする課題】
【０００６】
しかし前記従来のコネクタカバー取り付け構造では、２本の固着具ｄ，ｅの一方が短く形成されているため、２本の固着具ｄ，ｅを同時に緩めてコネクタカバーａを開放する場合、一方の固着具ｄがアンテナ裏面の取り付け座ｇから外れないように操作するための感覚が把握しにくい。
このため固着具ｄ，ｅを緩めている最中に、両固着具ｄ，ｅが同時に取り付け座ｆ，ｇから外れてしまうことがあり、コネクタカバーｂの脱落を確実に防止できない問題がある。
本発明はかかる問題を改善するためになされたもので、コネクタカバーの脱落を確実に防止することができるアンテナのコネクタカバー取り付け構造を提供することを目的とするものである。
【課題を解決するための手段】
【０００７】
本発明のアンテナのコネクタカバー取り付け構造は、ケーブルを接続するためのコネクタをアンテナ本体に設け、かつコネクタをコネクタカバーにより覆ったアンテナのコネクタカバーの取り付け構造であって、アンテナ本体のコネクタ近傍に、高さが異なる一対の取り付け座を突設し、かつ取り付け座にタップを形成すると共に、コネクタカバーに形成した取り付け孔に挿入したほぼ同じ長さの固着具を、取り付け座のタップに螺挿することにより、取り付け座にコネクタカバーを取り付けたものである。
【０００８】
前記構成により、アンテナ本体にケーブルを接続するために、コネクタを覆っているコネクタカバーを開放すべく固着具をほぼ同量緩めると、高さの低い取り付け座に螺挿された固着具が先に取り付け座より外れて空転するため、作業者は取り付け座より一方の固着具が外れたことを容易に確認することができる。
また高さの高い取り付け座に螺挿された固着具は、まだタップに螺挿された状態にあるため、この固着具を中心にコネクタカバーを回動することにより、コネクタカバーをアンテナ本体より切り離すことなく、コネクタカバーを開放することができる。
これによってコネクタカバーを誤って脱落するのを未然に防止することができるため、アンテナの取り付けが高所作業となっても、アンテナの取り付け作業が安全に行えると共に、コネクタカバーや固着具を紛失する虞もない。
しかもコネクタカバーを取り付ける固着具の長さをほぼ同じにしたことにより、誤った長さの固着具を取り付ける心配がないため、部品管理が容易となる効果もある。
【発明の効果】
【０００９】
本発明のアンテナのコネクタカバー取り付け構造によれば、コネクタカバーを取り付けている固着具をほぼ同量緩めて、高さの高い取り付け座に螺挿された固着具を中心にコネクタカバーを回動することにより、コネクタカバーをアンテナ本より切り離すことがなく、コネクタカバーを開放することができるため、アンテナの取り付けが高所作業となっても、コネクタカバーやこれを取り付ける固着具を誤って脱落させることなく、アンテナの取り付け作業が安全に行えるようになるようになる。
【発明を実施するための最良の形態】
【００１０】
本発明の実施の形態を、図面を参照して詳述する。
図１はペンシルビーム特性を有するアンテナの表面側の斜視図、図２は同裏面側の斜視図、図３はコネクタカバーの平面図、図４は図３のＡ−Ａ線部分を断面した状態の側面図、図５はコネクタカバーを開放する際の作用説明図、図６は図５のＢ円内の拡大図、図７はコネクタカバーの取り付け状態を示す一部切欠側面図、図８はコネクタカバーを取り付けている固着具を緩めた状態の側面図である。
図１に示すアンテナ本体１は、ほぼ正方形に形成されたアンテナ部２と、アンテナ部２の前面を覆うカバー３とからなる。
【００１１】
アンテナ部２は、前面が無線信号を発信したり、受信する送受信面となっており、全体が例えばアルミニウムのような金属により一体成形されている。
アンテナ部２の送受信面を覆うカバー３は、樹脂により一体成形されていて、雨水等により送受信面が劣化しないように保護している。
アンテナ部２の裏面側には、図２に示すように放熱用のヒートシンク４と、アンテナ本体１を柱等に取り付けるためのブラケット５が設けられている。
ヒートシンク４は、アンテナ部３の周辺部及びコネクタ取り付け部３ａを除く裏面全体に突設された複数のフィン４ａからなり、各フィン４ａは、図２に示すように互いに平行するようアンテナ部２の裏面に立設されている。
【００１２】
アンテナ本体１を柱等に取り付けるブラケット５は、ビス等の固着具６によりアンテナ部２の裏面に固着された基板部５ａと、ビス等の固着具７により基板部５ａに着脱自在に取り付けられた狭着部５ｂとからなり、何れも金属板により成形されており、基板部５ａと狭着部５ｂとの間で柱等を狭着した状態で固着具７を締め付けることにより、柱等に対してアンテナ本体１が所定の角度で取り付けられるようになっている。
アンテナ部２の裏面に形成されたコネクタ取り付け部２ａには、アンテナ本体１と通信機器を接続するケーブルに設けられた雄型のコネクタ（何れも図示せず）を嵌合する雌型のコネクタ８が、図７及び図８に示すように取り付けられており、コネクタ８の対角位置には、ボス状の取り付け座９、１０突設されている。
【００１３】
これら取り付け座９、１０は、コネクタ８の上面を覆って、コネクタ８内に塵埃等の異物や雨水等が侵入するのを防止するコネクタカバー１２を取り付けるためのもので、図７及び図８に示すように一方の取り付け座９は高さが高く、他方の取り付け座１０は高さが低くなっており、内周面にタップ９ａ，１０ａが形成されている。
コネクタカバー１２は、コネクタ８の上面全体を覆えるように、コネクタ８の平面の面積より大きい覆い部１２ａと、覆い部１２ａの対角位置に突設された取り付け部１２ｂとからなり、取り付け部１２ｂには、図４に示すように上部側が小径で、かつ下部側が大径な取り付け孔１２ｃが形成されており、小径側の内周面にタップ１２ｄが形成されている。
【００１４】
コネクタカバー１２を取り付け座９、１０に取り付ける固着具１３、１４は、ほぼ同じ長さの例えばボルトより形成されていていて、各固着具１３、１４の頭部１３ａ、１４ａより突設された軸部１３ｂ、１４ｂは、コネクタカバー１２の取り付け部１２ｂに形成されたタップ１２ｄの内径より小径となっており、軸部１３ｂ、１４ｂの先端部には、タップ１２ｄに螺挿自在なねじ部１３ｃ、１４ｃが形成されている。
【００１５】
次に前記構成されたアンテナのコネクタカバー取り付け構造の作用を、図５ないし図８を参照して説明する。
アンテナ本体１を設置する前は、塵埃等の異物や雨水等が侵入しないように図２に示すようにコネクタカバー１２より覆われた状態にあり、またコネクタカバー１２を取り付け座９、１０に取り付ける固着具１３、１４は、図７に示すように先端のねじ部１３ｃ、１４ｃが取り付け座９、１０の内周面に形成されたタップ９ａ、１０ａ内に螺挿された状態にある。
これによってコネクタ８の上面がコネクタカバー１２の覆い部１２ａにより覆われるため、コネクタ８内に異物や雨水等が侵入するのを防止することができる。
【００１６】
一方アンテナ部２の裏面に設けられたブラケット５を使用してアンテナ本体１を柱等に取り付けたら、アンテナ本体１と通信機器を接続するためのケーブルを取り付けるが、ケーブルの取り付けに当たって、まずコネクタカバー１２を固定している固着具１３、１４をほぼ同量緩める。
このとき一方の固着具１３が螺挿された取り付け座９は、取り付け座１０より高さが高く、かつ内周面に形成されたタップ９ａの長さが、高さの低い取り付け座１０の内周面に形成されたタップ１０ａより予め長くなっているため、両固着具９，１０を同量回転させた場合、図８に示すように高さの低い取り付け座１０に螺挿された固着具１４が先に取り付け座１０より外れて空転するようになり、これによって作業者は取り付け座１０より固着具１４が外れたことを容易に確認することができる。
【００１７】
またこのとき固着具１３のねじ部１３ｃは、まだ高さの高い取り付け座９に螺挿された状態にあるため、コネクタカバー１２がアンテナ本体１より切り離されることがなく、これによってコネクタカバー１２を誤って脱落するのを未然に防止することができる。
他方の固着具１４が取り付け座１０より外れて空転したら、図６に示すように一方の固着具１３を中心にコネクタカバー１２を矢印Ｃ方向へ回動してコネクタカバー１２を開放し、この状態でコネクタ８にケーブル側のコネクタを接続するもので、アンテナ本体１の取り付けが高所作業となっても、コネクタカバー１２やこれを取り付ける固着具１３、１４を誤って脱落させることがないため、高所作業が安全に行えるようになる。
【００１８】
一方図９及び図１０は、コネクタカバー取り付け構造の変形例を示すもので、次にこれら変形例を説明する。
なお前記実施の形態と同一部分は同一記号を付して、その説明は省略する。
図９に示す変形例は、一対の取り付け座９，１０の高さをほぼ等しくし、コネクタカバー１２に挿通した固着具１３，１４の長さもほぼ同じにしているが、一方の固着具１３の軸部１３ｂの径を他方の固着具１４より細く形成している。
またコネクタカバー１２の取り付け部１２ｂに穿設された取り付け孔１２ｃのうち、固着具１３が挿通された取り付け孔１２ｃの下部側の径が十分に大きくなるようにザグリされている。
これによって他方の固着具１４が取り付け座１０のタップ１０ａより外れた状態になると、固着具１３側を中心にコネクタカバー１２を大きく傾けることができるため、コネクタの脱着作業が容易となり、作業性が向上する。
【００１９】
図１０に示す変形例では、固着具１３が挿通されたコネクタカバー１２の取り付け部１２ｂ下面を斜めに面取りするか、Ｒ状に面取りすることにより面取り面１２ｆが形成されており、そのほかの点は図９に示す変形例とほぼ同様な構造となっている。
この変形例によれば、コネクタカバー１２の取り付け部１２ｂ下面に面取り面１２ｆを形成したことにより、固着具１３を少し緩めるだけで固着具１３側を中心にコネクタカバー１２を大きく傾けることができるため、図９に示す変形例と同様コネクタの脱着作業が容易となる上、固着具１３の緩め量を少なくできるため、作業性がさらに向上する。
【００２０】
なお前記実施の形態では、ペンシルビーム特性を有するアンテナのコネクタカバー取り付け構造について説明したが、同様なコネクタカバー取り付け構造を有するアンテナ全般に適用できるものである。
【図面の簡単な説明】
【００２１】
【図１】本発明の実施の形態になるコネクタカバー取り付け構造を採用したアンテナの表面側の斜視図である。
【図２】本発明の実施の形態になるコネクタカバー取り付け構造を採用したアンテナの裏面側の斜視図である。
【図３】本発明の実施の形態になるアンテナのコネクタカバー取り付け構造に使用するコネクタカバーの平面図である。
【図４】本発明の実施の形態になるアンテナのコネクタカバー取り付け構造に使用するコネクタカバーの図３に示すＡ−Ａ線部分を断面した側面図である。
【図５】本発明の実施の形態になるアンテナのコネクタカバー取り付け構造の作用説明図である。
【図６】図５のＢ円内の拡大図である。
【図７】本発明の実施の形態になるアンテナのコネクタカバー取り付け構造の作用説明図である。
【図８】本発明の実施の形態になるアンテナのコネクタカバー取り付け構造の作用説明図である。
【図９】本発明の実施の形態になるアンテナのコネクタカバー取り付け構造の変形例を示す説明図である。
【図１０】本発明の実施の形態になるアンテナのコネクタカバー取り付け構造の変形例を示す説明図である。
【図１１】従来のアンテナのコネクタカバー取り付け構造の説明図である。
【図１２】従来のアンテナのコネクタカバー取り付け構造の説明図である。
【符号の説明】
【００２２】
１    アンテナ本体
８    コネクタ
９    取り付け座
９ｃ    タップ
１０    取り付け座
１０ｃ    タップ
１２    コネクタカバー
１２ｃ    取り付け孔
１３    固着具
１４    固着具
【図１】
2010004213.tif 000003
【図２】
2010004213.tif 000004
【図３】
2010004213.tif 000005
【図４】
2010004213.tif 000006
【図５】
2010004213.tif 000007
【図６】
2010004213.tif 000008
【図７】
2010004213.tif 000009
【図８】
2010004213.tif 000010
【図９】
2010004213.tif 000011
【図１０】
2010004213.tif 000012
【図１１】
2010004213.tif 000013
【図１２】
2010004213.tif 000014